(57)【特許請求の範囲】
【請求項１】
７分丈または５分長タイツからなる肌着において、膝部はスパンデックス糸にナイロン糸をカバリングした編糸からなる１コースとナイロン双糸３コースとの４コース単位でタック編組織を千鳥状に交互に配置し、表面にはメッシュ柄が構成されて厚い編地が形成され、裏面に袋状の横襞が隆起され、膝部の横襞部分以外の編地は、スパンデックス糸にナイロン糸をカバリングした編糸からなることを特徴とする横襞を有する肌着。
【請求項２】
前記横襞に、ウールまたは遠赤外線効果を有する編糸を使用した請求項１記載の横襞を有する肌着。
【発明の詳細な説明】
【０００１】
【発明の属する技術分野】
本発明は、肌着の一部に空気層を設けて厚地にし保温部とした、横襞を有する肌着に関するものである。
【０００２】
【従来の技術】
膝痛のため膝を保温するサポーターを常用する人は多い。しかし、サポーターの上にタイツを履くと嵩張るので、サポーターとタイツとを一枚で兼用できるサポーター付きの肌着が望まれている。
【０００３】
じゆうらいからサポーター付きの肌着は公知であるが、膝部にゴム糸を挿通して締め付けるのが一般的であった。しかし、サポーターは、保温を目的にするものであるから、保温性のよい厚地のものにする必要があるが、従来のサポーター付きの肌着は、十分な厚地を有し、しかも屈曲性に支障がなく、保温性がよいものはなかった。
【０００４】
【発明が解決しようとする課題】
上記の事情に鑑み、本発明は、保温性のよく十分な厚地のものからなり、しかも屈曲性に支障のないサポーター付き肌着の提供を課題とする。
【０００５】
【課題を解決するための手段】
本発明は、上記課題を達成するために、７分丈タイツからなる肌着において、膝部にタック編組織を設け、該タック回数を多く繰り返して裏面に横襞を連続して起立させ、膝部を厚くして保温部とした横襞を有する肌着を構成するものである。
【０００６】
また、５分長タイツからなる肌着において、膝部にタック編組織設け、該タック回数を多く繰り返して裏面に横襞を連続して起立させ、膝部を厚くして保温部とした横襞を有する肌着を構成するものである。
【０００７】
さらに、５分長タイツからなる肌着において、膝部と腰部にタック編組織を設け、該タック回数を多く繰り返して裏面に横襞を連続して起立させ、膝部と腰部を厚くして保温部とした横襞を有する肌着を構成するものである。
【０００８】
さらにまた、靴下からなる肌着において、足底部にタック編組織を設け、該タック回数を多く繰り返して裏面に横襞を連続して起立させ、足底部を厚くして保温部とした横襞を有する肌着を構成するものである。
【０００９】
【発明の実施の形態】
本発明の裏面に横襞を有する肌着は、各種丸編機によって編成される。以下、本発明の裏面に横襞を有する肌着を、図面に基づいて実施例をあげて説明する。なお、本発明でいう肌着とは、タイツ等の下着のほか靴下も含むものである。
【００１０】
図１は、本発明の婦人用７分丈タイツからなる裏面に横襞を有する肌着の表面の一実施例を示す正面図である。また図２は、婦人用同７分丈タイツからなる裏面に横襞を有する肌着を、裏返えした状態の一実施例を示す正面図である。さらに図３は、本発明の裏面に横襞を有する肌着に使用するタック編組織の一実施例を示す組織図である。さらにまた図４は、本発明の裏面に横襞を有する肌着に使用の、タック編組織による横襞部分と横襞を有しない部分との編地の一実施例を示す斜視図である。
【００１１】
本発明の婦人用７分丈タイツからなる肌着１は、左右の身頃片２，２と、襠片３と、ベルト片４とを縫製して製造される。左右の身頃片２，２は、編み始め端の裾部５，５と、脚部６，６と、膝部７，７と、腿部８，８と、腰部９，９とからなっている。なお背面の腰部９，９は、前面では腹部に相当する。
【００１２】
裾部５，５とベルト片４とは、ゴム編に編成されている。脚部６，６と腿部８，
８とは、亀甲柄入りの平編からなっている。腰部９，９と襠片３とは、平編からなっている。
【００１３】
本発明の膝部７，７は、平の天笠編地にタック編（Tuck stitch）組織Ｔを設けている。ここでタック編組織Ｔとは、生地を編成する時に、一時ある編目を作らないで、次のコ−スを編むときに一緒に編目を編成するもので、編針から編目を脱出させないで針のフックまたは針幹の前の編目とともに保持し、次の給糸により編目を形成する時に同時に２つの編目をくぐって編糸を引き出して新しい編目を編成する組織のことである。
【００１４】
図３に示すタック編組織Ｔは、タックを千鳥状に交互に配置し、３回タックｔを行なった場合の一例を示した組織図であって、タック回数はこれ以上に多く続けることもある。本発明のタック編組織Ｔは、このようなタック回数を多く繰り返すことによって、裏面Ｂ１に編地が隆起し、袋状の横襞Ｌ１を裏面Ｂ１に連続して起立させることになり、表面Ｆには荒いメッシュ柄Ｍが構成され、全体に厚い編地が得られる。このようにして膝部７，７に形成される厚い編地は十分な空気層を保有するため保温性の優れたものとなっている。
【００１５】
図４に示すように、膝部７，７の横襞Ｌ１部分以外の編地ｎは、２０デニールのスパンを７０デニール６８フイラメントのナイロン糸でカバリングした編糸を使用した、厚さｃは０．６５ｍｍのものである。これに対し、膝部７，７の横襞Ｌ１部分の編地Ｎは、この編糸１コースと４０デニ−ル双糸のナイロン３コースとの４コース単位で編成し、１６コースで大きな袋編にして襞Ｌ１を形成さした、
そのため厚さＣが実に２．５０ｍｍも有するものである。
【００１６】
裏面Ｂ１に起立させた横襞Ｌ１部分の編糸としては、スパンデックス弾性糸の方は、サポーター効果を持たせるために、もう少し太い７０〜１４０デニールのものを使用する必要がある。またナイロン糸の方は、ハイマルチタイプを使用して、ある程度のフイット性と肌触りの良さを実現するようにする。また、ウールまたは遠赤効果を有する編糸を使用して、保温性に寄与させるようにすることも好ましい。
【００１７】
また図５は、婦人用同５分長タイツからなる裏面に横襞を有する肌着を、裏返えした状態の他の実施例を示す正面図である。本発明の婦人用５分長タイツからなる肌着１１は、膝部１７，１７にタック編組織を設け、該タック回数を多く繰り返して裏面Ｂ２に横襞Ｌ２を連続して起立させ、膝部１７，１７を厚くして保温性の優れたものとしている。
【００１８】
さらに図６は、婦人用同５分長タイツからなる裏面に横襞を有する肌着を、裏返えした状態の他の実施例を示す背面図である。本発明の婦人用５分長タイツからなる肌着２１は、膝部２７，２７と腰部２９，２９全面にタック編組織を設け、
該タック回数を多く繰り返して裏面Ｂ３に横襞Ｌ３，Ｌ３を連続して起立させ、膝部２７，２７と腰部２９，２９とを厚くして保温性の優れたものとしている。
【００１９】
さらにまた図７は、婦人用同５分長タイツからなる裏面に横襞を有する肌着を、
裏返えした状態のまた別な実施例を示す背面図である。図６までの裏面に横襞を有する肌着は、４インチまたは４．1／４インチ径の４００本程度の編針を使用した、パンティストッキング用の編機を使用して編成され、左右の身頃片からなってウエストの中央で縫製している。しかし、例えば１０乃至１４インチ径の１０００乃至１２００本程度の編針を使用した大型編機で編成すれば、図７のようにウエストの中央では縫製する必要がなくなる。本発明の婦人用５分長タイツからなる肌着３１も、膝部３７，３７と腰部３９，３９全面にタック編組織を設け、
該タック回数を多く繰り返して裏面Ｂ４に横襞Ｌ４，Ｌ４を連続して起立させ、膝部３７，３７と腰部３９，３９とを厚くして同様に保温性の優れたものとしている。
【００２０】
そしてまた図８は、ハイソックスの靴下からなる裏面に横襞を有する肌着を、裏返えした状態の更に他の実施例を示す正面図である。本発明の靴下からなる肌着４１は、踵部と足底部と爪先部とからなる足底部４０，４０にタック編組織を設け、該タック回数を多く繰り返して裏面Ｂ４に横襞Ｌ５を連続して起立させ、足底部４０，４０を厚くして保温性の優れたものとしている。
【００２１】
【発明の効果】
本発明の横襞を有する肌着は、一枚でサポーターと肌着を兼用できるサポーター付きの肌着とすることができる。
【００２２】
本発明の裏面に横襞を有する肌着は、膝部や足底部が横襞によって、十分な空気層を有する厚地のものからなっているため、保温性のよいものとすることができる。
【００２３】
本発明の裏面に横襞を有する肌着は、膝部等の保温部が横襞状から形成されているので、屈曲性に支障のないものにすることができる。
【図面の簡単な説明】
【図１】本発明の婦人用７分丈タイツからなる裏面に横襞を有する肌着の表面の一実施例を示す背面図である。
【図２】本発明の婦人用同７分丈タイツからなる裏面に横襞を有する肌着を、裏返えした状態の一実施例を示す背面図である。
【図３】本発明の裏面に横襞を有する肌着に使用のタック編組織の一実施例を示す組織図である。
【図４】本発明の横襞を有する肌着に使用の、タック編組織による横襞部分と横襞を有しない部分との編地の一実施例を示す斜視図である。
【図５】本発明の婦人用５分長タイツからなる裏面に横襞を有する肌着を、裏返えした状態の他の実施例を示す正面図である。
【図６】本発明の婦人用５分長タイツからなる裏面に横襞を有する肌着を、裏返えした状態の他の実施例を示す背面図である。
【図７】本発明の婦人用５分長タイツからなる裏面に横襞を有する肌着を、裏返えした状態のまた他の実施例を示す背面図である。
【図８】本発明のハイソックスの靴下からなる裏面に横襞を有する肌着を、裏返えした状態の更に他の実施例を示す正面図である。
【符号の説明】
１        ７分丈タイツからなる横襞を有する肌着
２        身頃片
３        襠片
４        ベルト片
５        裾部
６        脚部
７        膝部
８        腿部
９        腰部
１１      婦人用５分長タイツからなる裏面に横襞を有する肌着
１７      膝部
２１      婦人用５分長タイツからなる裏面に横襞を有する肌着
２７      膝部
２９      腰部
４０      足底部
４１      靴下からなる横襞を有する肌着
Ｂ１      裏面
Ｂ２      裏面
Ｂ３      裏面
Ｂ４      裏面
Ｂ５      裏面
Ｃ        横襞部分の厚さ
ｃ        横襞部分以外の厚さ
Ｆ        表面
Ｌ１      横襞
Ｌ２      横襞
Ｌ３      横襞
Ｌ４      横襞
Ｌ５      横襞
Ｍ        メッシュ柄
Ｎ        横襞部分の編地
ｎ        横襞部分以外の編地
Ｔ        タック編組織
ｔ        タツク
【図１】
0003991298.tif 000002
【図２】
0003991298.tif 000003
【図３】
0003991298.tif 000004
【図４】
0003991298.tif 000005
【図５】
0003991298.tif 000006
【図６】
0003991298.tif 000007
【図７】
0003991298.tif 000008
【図８】
0003991298.tif 000009